【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
加入者局の電力消費を減少させる方法において、
正しく受信されなければならないフレームの数を決定し、
前記決定された数のフレームが正しく受信されたときに、フレームの受信を終了することを含む方法。
【請求項２】
前記正しく受信されなければならないフレームの数を決定することは、
冗長量を決定し、
前記決定された冗長量にしたがって正しく受信されなければならないフレームの数を決定することを含む請求項１記載の方法。
【請求項３】
前記冗長量を決定することは、
受信フレームとは無関係に冗長量を提供することを含む請求項２記載の方法。
【請求項４】
前記冗長量を決定することは、
受信フレームのエンコーディングレートを決定し、
エンコーディングレートにしたがって冗長量を決定することを含む請求項２記載の方法。
【請求項５】
前記決定された冗長量にしたがって正しく受信されなければならないフレームの数を決定することは、
正しく受信されなければならないフレームの最小数を決定することを含む請求項２記載の方法。
【請求項６】
前記正しく受信されなければならないフレームの決定された最小数を第１の数だけ増加させることをさらに含む請求項５記載の方法。
【請求項７】
前記受信フレームのエンコーディングレートを決定することは、
受信フレームにしたがって受信フレームのエンコーディングレートを決定することを含む請求項４記載の方法。
【請求項８】
前記受信フレームのエンコーディングレートを決定することは、
受信フレームとは無関係に受信フレームのエンコーディングレートを提供することを含む請求項４記載の方法。
【請求項９】
前記決定された数のフレームが正しく受信されたときに、フレームの受信を終了することは、
前記決定された数のフレームが正しく受信され、加入者局がフレームを受信する義務を負っている時間が終了したときに、フレームの受信を終了することを含む請求項１記載の方法。
【請求項１０】
共通ブロードキャストチャネル上でハードハンドオフを実行する方法において、
加入者局において、第１のセクタから共通ブロードキャストチャネル上で送信されるフレームを受信し、
加入者局において、ハンドオフに対する必要性を決定し、
加入者局において、第１のセクタを含むソフトハンドオフグループとは異なるソフトハンドオフグループに属する少なくとも１つのセクタを識別し、
正しく受信されなければならない現在のバッファからのフレームの数を決定し、
前記決定された数のフレームが正しく受信されたときに、フレームの受信を終了し、
識別された少なくとも１つのセクタからのフレームの受信を開始することを含む方法。
【請求項１１】
前記正しく受信されなければならないフレームの数を決定することは、
冗長量を決定し、
前記決定された冗長量にしたがって正しく受信されなければならないフレームの数を決定することを含む請求項１１記載の方法。
【請求項１２】
前記冗長量を決定することは、
受信フレームとは無関係に冗長量を提供することを含む請求項１１記載の方法。
【請求項１３】
前記冗長量を決定することは、
受信フレームのエンコーディングレートを決定し、
エンコーディングレートにしたがって冗長量を決定することを含む請求項１１記載の方法。
【請求項１４】
前記決定された冗長量にしたがって正しく受信されなければならないフレームの数を決定することは、
正しく受信されなければならないフレームの最小数を決定することを含む請求項１０記載の方法。
【請求項１５】
前記正しく受信されなければならないフレームの決定された最小数を第１の数だけ増加させることをさらに含む請求項１４記載の方法。
【請求項１６】
前記受信フレームのエンコーディングレートを決定することは、
受信フレームにしたがって受信フレームのエンコーディングレートを決定することを含む請求項１３記載の方法。
【請求項１７】
前記受信フレームのエンコーディングレートを決定することは、
受信フレームとは無関係に受信フレームのエンコーディングレートを提供することを含む請求項１３記載の方法。
【請求項１８】
前記決定された数のフレームが正しく受信されたときに、フレームの受信を終了することは、
前記決定された数のフレームが正しく受信され、加入者局がフレームを受信する義務を負っている時間が終了したときに、フレームの受信を終了することを含む請求項１０記載の方法。
【請求項１９】
少なくとも１つのセクタから受信された少なくともいくつかのデコードされたパケットが、第１のセクタから受信された少なくともいくつかのデコードされたパケットと同一であるか否かを決定し、
同一のパケットを廃棄することをさらに含む請求項１０記載の方法。
【請求項２０】
発信システムによりカバーされる領域から宛先システムによりカバーされる領域へのハンドオフのための方法において、
加入者局において、発信システム中のセクタからのチャネル上でサービスを受信し、
加入者局において、ハンドオフに対する必要性を決定し、
加入者局において、宛先システムを識別し、
正しく受信されなければならない現在のバッファからのフレームの数を決定し、
前記決定された数のフレームが正しく受信されたときに、フレームの受信を終了し、
宛先システムの周波数に同調し、
宛先システムの少なくとも１つのセクタが加入者局において捕捉された場合に、少なくとも１つのセクタからのチャネル上でサービスを受信することを含む方法。
【請求項２１】
加入者局において、発信システム中のセクタからのチャネル上でサービスを受信することを再開する時間を決定することをさらに含む請求項２０記載の方法。
【請求項２２】
宛先システムのどのセクタも加入者局において捕捉されない場合に、
宛先システムの周波数で受信された信号を記憶し、
発信システムの周波数に再同調し、
加入者局において、同時に
発信システム中のセクタからのチャネル上でサービスを受信し、
記憶された信号を解析して、サービスを提供することができる宛先システム中のセクタを識別することをさらに含む請求項２０記載の方法。
【請求項２３】
前記発信システムの周波数に再同調することは、
発信システム中のセクタからのチャネル上でサービスを受信することを再開する時間の前に、発信システムの周波数に再同調することを含む請求項２２記載の方法。
【請求項２４】
宛先システム中のセクタが識別された場合に、ハードハンドオフを実行することをさらに含む請求項２２記載の方法。
【請求項２５】
シグナリング用の共通ブロードキャストチャネルを利用する方法において、
送信バッファにおけるパリティ部分の内容の一部をシグナリング情報で置換し、
共通ブロードキャストチャネル上で決定された時間において送信バッファの内容を送信することを含む方法。
【請求項２６】
決定された時間の間に、共通ブロードキャストチャネルの送信用電力を増加させることをさらに含む請求項２５記載の方法。
【請求項２７】
シグナリング用の共通ブロードキャストチャネルを利用する方法において、
第１のコードで送信バッファのシステマティック部分の内容をエンコードして、送信バッファのパリティ部分の第１の部分にパリティビットを提供し、
シグナリング情報を送信バッファのパリティ部分の第２の部分に加え、第２の部分は第１の部分とは異なり、
決定された時間において、共通ブロードキャストチャネル上で送信バッファの内容を送信することを含む方法。
【請求項２８】
第２のコードで送信バッファのシステマティック部分中の内容をエンコードして、送信バッファのパリティ部分にパリティビットを提供し、
決定された時間以外において、共通ブロードキャストチャネル上で送信バッファの内容を送信することをさらに含む請求項２７記載の方法。
【請求項２９】
決定された時間の間に、共通ブロードキャストチャネルの送信用電力を増加させることをさらに含む請求項２７記載の方法。
【請求項３０】
シグナリング用の共通ブロードキャストチャネルを利用する方法において、
共通ブロードキャストチャネル上で受信されたフレームを受信バッファに提供し、
決定された時間の間に、フレームがエラーで受信された場合に、第１のコードで受信バッファをデコードし、
決定された時間以外において、フレームがエラーで受信された場合に、第２のコードで受信バッファをデコードすることを含む方法。
【請求項３１】
シグナリング用の共通ブロードキャストチャネルを利用する方法において、
第１のコードで、チャネル内容情報を含むパケットをエンコードし、
チャネル内容情報とシグナリング情報とを含むパケットを第２のコードでエンコードし、
前記エンコードされたパケットを送信することを含む方法。
【請求項３２】
シグナリング用の共通ブロードキャストチャネルを利用する方法において、
第１のレート仮定にしたがって受信パケットをデコードし、
前記第１のレート仮定にしたがって受信パケットをデコードすることが成功しなかった場合に、第２のレート仮定にしたがって受信パケットをデコードすることを含む方法。
【請求項３３】
加入者局の電力消費を減少させる装置において、
プロセッサと、
前記プロセッサと通信可能に結合され、
正しく受信されなければならないフレームの数を決定し、
前記決定された数のフレームが正しく受信されたときに、フレームの受信を終了させるための
前記プロセッサにより実行可能な命令セットを有する記憶媒体とを具備する装置。
【請求項３４】
冗長量を決定し、
前記決定された冗長量にしたがって正しく受信されなければならないフレームの数を決定するための
命令セットを実行することにより、正しく受信されなければならないフレームの数を決定するように前記プロセッサが構成されている請求項３３記載の装置。
【請求項３５】
受信フレームとは無関係に冗長量を決定するための命令セットを実行することにより、冗長量を決定するように前記プロセッサが構成されている請求項３４記載の装置。
【請求項３６】
受信フレームのエンコーディングレートを決定し、
エンコーディングレートにしたがって冗長量を決定するための
命令セットを実行することにより、冗長量を決定するように前記プロセッサが構成されている請求項３４記載の装置。
【請求項３７】
正しく受信されなければならないフレームの最小数を決定するための命令セットを実行することにより、前記決定された冗長量にしたがって正しく受信されなければならないフレームの数を決定するように前記プロセッサが構成されている請求項３４記載の装置。
【請求項３８】
前記正しく受信されなければならないフレームの決定された最小数を第１の数だけ増加させるための命令セットを実行するように前記プロセッサがさらに構成されている請求項３７記載の装置。
【請求項３９】
受信フレームにしたがって受信フレームのエンコーディングレートを決定するための命令セットを実行することにより、受信フレームのエンコーディングレートを決定するように前記プロセッサが構成されている請求項３６記載の装置。
【請求項４０】
受信フレームとは無関係に受信フレームのエンコーディングレートを決定するための命令セットを実行することにより、受信フレームのエンコーディングレートを決定するように前記プロセッサが構成されている請求項３６記載の装置。
【請求項４１】
前記決定された数のフレームが正しく受信され、加入者局がフレームを受信する義務を負っている時間が終了したときに、フレームの受信を終了させるための命令セットを実行することにより、前記決定された数のフレームが正しく受信されたときに、フレームの受信を終了させるように前記プロセッサが構成されている請求項３３記載の装置。
【請求項４２】
共通ブロードキャストチャネル上でハードハンドオフを実行する装置において、
プロセッサと、
前記プロセッサと通信可能に結合され、
第１のセクタから共通ブロードキャストチャネル上で送信されるフレームを加入者局に受信させ、
ハンドオフに対する必要性を決定し、
第１のセクタを含むソフトハンドオフグループとは異なるソフトハンドオフグループに属する少なくとも１つのセクタを識別し、
正しく受信されなければならない現在のバッファからのフレームの数を決定し、
前記決定された数のフレームが正しく受信されたときに、フレームの受信を加入者局に終了させ、
識別された少なくとも１つのセクタからのフレームの受信を加入者局に開始させるための
前記プロセッサにより実行可能な命令セットを有する記憶媒体とを具備する装置。
【請求項４３】
冗長量を決定し、
前記決定された冗長量にしたがって正しく受信されなければならないフレームの数を決定するための
命令セットを実行することにより、正しく受信されなければならないフレームの数を決定するように前記プロセッサが構成されている請求項４２記載の装置。
【請求項４４】
受信フレームとは無関係に冗長量を決定するための命令セットを実行することにより、冗長量を決定するように前記プロセッサが構成されている請求項４３記載の装置。
【請求項４５】
受信フレームのエンコーディングレートを決定し、
エンコーディングレートにしたがって冗長量を決定するための
命令セットを実行することにより、冗長量を決定するように前記プロセッサが構成されている請求項４３記載の装置。
【請求項４６】
正しく受信されなければならないフレームの最小数を決定するための命令セットを実行することにより、前記決定された冗長量にしたがって正しく受信されなければならないフレームの数を決定するように前記プロセッサが構成されている請求項４３記載の装置。
【請求項４７】
前記正しく受信されなければならないフレームの決定された最小数を第１の数だけ増加させるための命令セットを実行するように前記プロセッサがさらに構成されている請求項４６記載の装置。
【請求項４８】
受信フレームにしたがって受信フレームのエンコーディングレートを決定するための命令セットを実行することにより、受信フレームのエンコーディングレートを決定するように前記プロセッサが構成されている請求項４５記載の装置。
【請求項４９】
受信フレームとは無関係に受信フレームのエンコーディングレートを決定するための命令セットを実行することにより、受信フレームのエンコーディングレートを決定するように前記プロセッサが構成されている請求項４５記載の装置。
【請求項５０】
前記決定された数のフレームが正しく受信され、加入者局がフレームを受信する義務を負っている時間が終了したときに、フレームの受信を加入者局に終了させるための命令セットを実行することにより、前記決定された数のフレームが正しく受信されたときに、加入者局にフレームの受信を終了させるように前記プロセッサが構成されている請求項４２記載の装置。
【請求項５１】
少なくとも１つのセクタから受信された少なくともいくつかのデコードされたパケットが、第１のセクタから受信された少なくともいくつかのデコードされたパケットと同一であるか否かを決定し、
同一のパケットを破棄するための
命令セットを実行するように前記プロセッサがさらに構成されている請求項４２記載の装置。
【請求項５２】
発信システムによりカバーされる領域から宛先システムによりカバーされる領域へのハンドオフのための装置において、
プロセッサと、
前記プロセッサと通信可能に結合され、
発信システム中のセクタからのチャネル上でサービスを加入者局に受信させ、
ハンドオフに対する必要性を決定し、
宛先システムを識別し、
正しく受信されなければならない現在のバッファからのフレームの数を決定し、
前記決定された数のフレームが正しく受信されたときに、フレームの受信を加入者局に終了させ、
宛先システムの周波数に加入者局を同調させ、
宛先システムの少なくとも１つのセクタが加入者局において捕捉された場合に、少なくとも１つのセクタからのチャネル上でサービスを加入者局に受信させるための
前記プロセッサにより実行可能な命令セットを有する記憶媒体とを具備する装置。
【請求項５３】
発信システム中のセクタからのチャネル上でのサービスの受信を加入者局に再開させる時間を決定するための命令セットを実行するように前記プロセッサがさらに構成されている請求項５２記載の装置。
【請求項５４】
宛先システムのどのセクタも加入者局において捕捉されない場合に、
宛先システムの周波数で受信された信号を記憶し、
加入者局を、発信システムの周波数に再同調させて、発信システム中のセクタからのチャネル上でサービスを受信させ、
記憶された信号を解析して、サービスを提供することができる宛先システム中のセクタを識別するための
命令セットを実行するように前記プロセッサがさらに構成されている請求項５２記載の装置。
【請求項５５】
発信システム中のセクタからのチャネル上でのサービスの受信を再開させる時間の前に、発信システムの周波数に加入者局を再同調させるための命令セットを実行することにより、加入者局を、発信システムの周波数に再同調させて、発信システム中のセクタからのチャネル上でサービスを受信させるように前記プロセッサがさらに構成されている請求項５４記載の装置。
【請求項５６】
発信システム中のセクタが識別された場合に、加入者局にハードハンドオフを実行させるための命令セットを実行するように前記プロセッサがさらに構成されている請求項５４記載の装置。
【請求項５７】
シグナリング用の共通ブロードキャストチャネルを利用する装置において、
プロセッサと、
前記プロセッサと通信可能に結合され、
送信バッファにおけるパリティ部分の内容の一部をシグナリング情報で置換し、
共通ブロードキャストチャネル上で決定された時間において送信バッファの内容を送信させるための
前記プロセッサにより実行可能な命令セットを有する記憶媒体とを具備する装置。
【請求項５８】
決定された時間の間に、共通ブロードキャストチャネルの送信用電力を増加させるための命令セットを実行するように前記プロセッサがさらに構成されている請求項５７記載の装置。
【請求項５９】
シグナリング用の共通ブロードキャストチャネルを利用する装置において、
プロセッサと、
前記プロセッサと通信可能に結合され、
第１のコードで送信バッファのシステマティック部分の内容をエンコードして、送信バッファのパリティ部分の第１の部分にパリティビットを提供し、
シグナリング情報を送信バッファのパリティ部分の第２の部分に加え、第２の部分は第１の部分とは異なり、
決定された時間において、共通ブロードキャストチャネル上で送信バッファの内容を送信させるための
前記プロセッサにより実行可能な命令セットを有する記憶媒体とを具備する装置。
【請求項６０】
第２のコードで送信バッファのシステマティック部分中の内容をエンコードして、送信バッファのパリティ部分にパリティビットを提供し、
決定された時間以外において、共通ブロードキャストチャネル上で送信バッファの内容を送信させるための
命令セットを実行するように前記プロセッサがさらに構成されている請求項５９記載の装置。
【請求項６１】
決定された時間の間に、共通ブロードキャストチャネルの送信用電力を増加させるための命令セットを実行するように前記プロセッサがさらに構成されている請求項５９記載の装置。
【請求項６２】
シグナリング用の共通ブロードキャストチャネルを利用する装置において、
プロセッサと、
前記プロセッサと通信可能に結合され、
共通ブロードキャストチャネル上で受信されたフレームを受信バッファに提供し、
決定された時間の間に、フレームがエラーで受信された場合に、第１のコードで受信バッファをデコードし、
決定された時間以外において、フレームがエラーで受信された場合に、第２のコードで受信パケットをデコードするための
前記プロセッサにより実行可能な命令セットを有する記憶媒体とを具備する装置。
【請求項６３】
シグナリング用の共通ブロードキャストチャネルを利用する装置において、
プロセッサと、
前記プロセッサと通信可能に結合され、
第１のコードで、チャネル内容情報を含むパケットをエンコードし、
チャネル内容情報とシグナリング情報とを含むパケットを第２のコードでエンコードし、
前記エンコードされたパケットを送信させるための
前記プロセッサにより実行可能な命令セットを有する記憶媒体とを具備する装置。
【請求項６４】
シグナリング用の共通ブロードキャストチャネルを利用する装置において、
プロセッサと、
前記プロセッサと通信可能に結合され、
第１のレート仮定にしたがって受信パケットをデコードし、
前記第１のレート仮定にしたがって受信パケットをデコードすることが成功しなかった場合に、第２のレート仮定にしたがって受信パケットをデコードするための
前記プロセッサにより実行可能な命令セットを有する記憶媒体とを具備する装置。